(57)【要約】      （修正有）【課題】扉の外周に設けられてマグネットの磁力による吸着力を生じさせるための金属部材での結露を抑制することが可能な冷蔵庫を提供する。【解決手段】冷蔵庫は、冷蔵庫の前面下部に設けられた金属部材２と、金属部材２の前面の少なくとも一部分を覆う、金属部材２よりも熱伝導率の低いカバー２００とを備え、金属部材２とカバー２００との間に空気層を設ける。【選択図】図３
2014048026.tif 000002
【特許請求の範囲】
【請求項１】
扉の外周に設けられてその扉と貯蔵室間口との間からの冷気の流出を防止するために弾性体で形成されたドアパッキンに内蔵されたマグネットの磁力による吸着力を生じさせるために冷蔵庫の前面下部に設けられた金属部材と、
前記金属部材の前面の少なくとも一部を覆う、前記金属部材よりも熱伝導率の低いカバーとを備えた、冷蔵庫。
【請求項２】
前記金属部材と前記カバーとの間に空気層が設けられている、請求項１に記載の冷蔵庫。
【請求項３】
前記金属部材は、磁性材料により構成される、請求項１または２に記載の冷蔵庫。
【請求項４】
前記金属部材は鉄を含む、請求項３に記載の冷蔵庫。
【請求項５】
前記カバーはポリプロピレンを含む、請求項１から４のいずれか１項に記載の冷蔵庫。
【発明の詳細な説明】
【技術分野】
【０００１】
本発明は、冷蔵庫に関し、より特定的には、金属部材の結露を防止することが可能な冷蔵庫に関するものである。
【背景技術】
【０００２】
従来、冷蔵庫としては、例えば、特開平２−２５１０８１号公報、特開昭６１−９６３８１号公報、特公平６−７２７３８号公報および特開平１０−２４６５５４号公報が知られている（特許文献１〜４）。
【先行技術文献】
【特許文献】
【０００３】
【特許文献１】特開平２−２５１０８１号公報
【特許文献２】特開昭６１−９６３８１号公報
【特許文献３】特公平６−７２７３８号公報
【特許文献４】特開平１０−２４６５５４号公報
【発明の概要】
【発明が解決しようとする課題】
【０００４】
しかしながら、従来の冷蔵庫では、金属部材が結露しやすいという問題があった。
そこで、この発明は上記の問題を解決するためになされたものであり、金属部材での結露を防止することが可能な冷蔵庫を提供することを目的とするものである。
【課題を解決するための手段】
【０００５】
この発明に従った冷蔵庫は、扉の外周に設けられてその扉と貯蔵室間口との間からの冷気の流出を防止するために弾性体で形成されたドアパッキンに内蔵されたマグネットの磁力による吸着力を生じさせるために冷蔵庫の前面下部に設けられた金属部材と、金属部材の前面の少なくとも一部を覆う、金属部材よりも熱伝導率の低いカバーとを備える。
【０００６】
このように構成された冷蔵庫では、金属部材の発露部分がカバーにより覆われるため、この部分における結露を防止することができる。
【０００７】
好ましくは、金属部材とカバーとの間に空気層が設けられている。
好ましくは、金属部材は、磁性材料により構成される。
【０００８】
好ましくは、金属部材は鉄を含む。
好ましくは、カバーはポリプロピレンを含む。
【図面の簡単な説明】
【０００９】
【図１】この発明の実施の形態に従った冷蔵庫の内部構造を説明するための斜視図である。
【図２】金属部材および金属部材上に搭載される機器の斜視図である。
【図３】冷蔵庫の金属部材を覆うカバーの斜視図である。
【図４】図３中のＩＶ−ＩＶ線に沿った断面図である。
【発明を実施するための形態】
【００１０】
以下、この発明の実施の形態について、図面を参照して説明する。以下の実施の形態では同一または相当する部分については同一の参照符号を付す。
【００１１】
図１は、この発明の実施の形態に従った冷蔵庫の内部構造を説明するための斜視図である。図２は、金属部材および金属部材上に搭載される機器の斜視図である。図３は、冷蔵庫の金属部材を覆うカバーの斜視図である。図４は、図３中のＩＶ−ＩＶ線に沿った断面図である。
【００１２】
ここでは、キャビネット１の一部を欠いて示しており、その内部を模式的に表している。庫内は仕切板２８によって上から冷蔵室１０１と、２段の冷凍室１０２と、野菜室１０３とに分割されている。野菜室１０３の底面２８０１の下に設けられている２は、キャビネット１の底面となる金属部材である。
【００１３】
本実施形態の冷凍冷蔵庫では、野菜室１０３の底面２８０１とベースプレートとしての金属部材２との間隙部１０４に、冷気ダクト（図示せず）が野菜室１０３の底面２８０１に沿って形成されている。該冷気ダクトの一端は、野菜室１０３の底面２８０１に設けられた吸気口２２から野菜室１０３内に通じている。また、他端はキャビネット１の背面の庫内側に設けられた冷気送りダクト２３に通じている。冷気送りダクト２３は、冷気ダクトから野菜室１０３及び冷凍室１０２を通って冷蔵室１０１まで延びており、各室毎に冷気の流出量を調節するダンパー２３０１が設けられている。
【００１４】
なお、この例では、間隙部１０４に冷気送りダクト２３が設けられる構成を示しているが、冷気ダクト送り２３は必ずしも設けなくてもよい。
【００１５】
冷媒の冷凍サイクルを構築する冷却用部材は、間隙部１０４及び冷気ダクト内に設けられている。これらの冷却用部材について、その構成を説明する。図２は、本実施形態における冷凍冷蔵庫の金属部材２上に設けられた冷却用部材を示した概略図で、冷凍冷蔵庫の背面側から見たものである。
【００１６】
図２では冷気ダクトを図示していないが、冷気ダクトの底面の一部を断熱材２０をもって表している。本来は、断熱材２０の上方及び左右両側に断熱材があり、これらは断熱材２０と共に冷気ダクトを形成している。図中、断熱材２０上に示されている冷却器６、クロスフローファン９及びファンモータ９０１は、いずれも冷気ダクト内に設けられたものである。また、図１に示した吸気口２２（図示せず）はクロスフローファン９の上方に位置し、冷気送りダクトは凝縮ユニット１０の上方に位置する。
【００１７】
圧縮機３は、ボルト、ナット及びゴム脚にて金属部材２上に固定されている。凝縮器１１や凝縮ファン１２などから成る凝縮ユニット１０は、圧縮機３と並んで金属部材２の背面側の一辺に沿って設けられている。吐出パイプ４は、圧縮機３と凝縮器１１とを連通しており、その一部が断熱材２０と金属部材２との隙間に入り込んでいる。また、５は制御基板やトランスなどを一括した電装部で、該冷凍冷蔵庫全体の運転を制御している。
【００１８】
断熱材２０上、つまり冷気ダクト内には、凝縮ユニット１０に最も近い位置に冷却器６が設けられている。該冷却器６は、冷媒を送るためのキャピラリーチューブ７により、凝縮器１１と連通している。その一方で、サクションパイプ８により圧縮機３にも連通している。冷却器６の下方には断熱材２０に凹部が形成されており、該凹部が水受け皿２００１となっている。また、冷気ダクト内には冷却器６に隣接して、クロスフローファン９とファンモータ９０１が設けられている。
【００１９】
図３を参照して、金属部材２を覆うようにカバー２００が設けられている。カバー２００は、金属部材２を構成する材料（鉄合金）よりも熱伝導率の低い（熱を伝えにくい）材料により構成されている。金属部材２は、冷蔵庫内に位置するため外気温よりも低温となる。そのため、金属部材２に外気が直接接触すると、接触部分において露点以下となり、結露が発生する。これを防止するためにカバー２００を設け、金属部材２が外気に直接接触することを防止し、結露の発生を抑制することが可能となる。
【００２０】
カバー２００の熱伝導率は金属部材２の熱伝導率よりも小さいので、カバー２００における内周面と外周面における温度勾配は金属部材２における温度勾配よりも大きくなる。これにより、カバー２００のうち、外気に接触する部分の温度を高くすることが可能となり、結露を抑制することが可能となる。
【００２１】
図４を参照して、カバー２００と金属部材２との間に空気層２１０が設けられていることがより好ましい。空気層２１０は、カバー２００および金属部材２のいずれもより熱伝導率が低い。そのため、空気層２１０内で急激な温度勾配が形成される。その結果、より確実にカバー２００の表面において結露の発生を抑制することが可能となる。
【００２２】
この発明に従った冷蔵庫は、冷蔵庫の前面に設けられた金属部材２と、金属部材２の発露部分を覆う、金属部材２よりも熱伝導率の低いカバー２００とを備える。冷蔵庫は、扉の外周に設けられてその扉と貯蔵室間口との間からの冷気の流出を防止するために弾性体で形成されたドアパッキンに内蔵されたマグネットの磁力による吸着力を生じさせるために冷蔵庫の前面下部に設けられた金属部材２と、金属部材の前面の少なくとも一部を覆う、金属部材２よりも熱伝導率の低いカバー２００とを備える。
【００２３】
このように構成された冷蔵庫では、金属部材２の発露部分がカバー２００により覆われるため、この部分における結露を防止することができる。
【００２４】
金属部材２とカバー２００との間に空気層２１０が設けられている。金属部材２は、磁性材料により構成される。金属部材２は鉄を含む。カバー２００はポリプロピレンを含む。
【００２５】
冷蔵庫の省エネ性能向上において、発露防止用に使用する熱源の低温化は重要である。金属部材２のフランジ部分を鉄板部品で構成し、パッキンにマグネットを用いることでパッキンがフランジに吸い付くことで冷蔵庫を密閉するが、従来、鉄板は熱伝導率が高いため庫内の冷たさに影響を受けやすく、発露しやすい問題があった。これに対して、本発明では冷蔵庫の前面部分に発露しやすい素材の金属部材２を備えている冷蔵庫であり、発露しやすい金属部材２の発露部分に熱伝導率の低いボトムカバーとしてのカバー２００（ＰＰ樹脂）をかぶせることで発露を防止することができる。発露しやすい金属部材２の発露部分に空気層２１０を設けることで湿気を含む空気が発露部に触れるのを防ぎ発露を防止することができる。
【００２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２７】
本発明は、冷蔵庫の分野で用いることができる。
【符号の説明】
【００２８】
１  キャビネット、２  金属部材、３  圧縮機、４  吐出パイプ、７  キャピラリチューブ、８  サクションパイプ、９  クロスフローファン、１０  凝縮ユニット、１１  凝縮器、１２  凝縮ファン、２０  断熱材、２２  吸気口、２３  冷気送りダクト、２８  仕切板、１０１  冷蔵室、１０２  冷凍室、１０３  野菜室、１０４  間隙部、２００  カバー、２１０  空気層、９０１  ファンモーター、２００１  水受け皿、２３０１  ダンパー、２８０１  底面。
【図１】
2014048026.tif 000003
【図２】
2014048026.tif 000004
【図３】
2014048026.tif 000005
【図４】
2014048026.tif 000006